(57)【要約】【目的】脆弱な気泡コンクリートに取り付けが、容易で且つガタつきの無い強固な、気泡コンクリート用アンカーを、安価に提供する。【構成】アンカー本体２１に、角状部２２を設け開閉体２５ａ、２５ｂが、後付け用スプリング２４にて開脚し、開閉体切込み部３０ａ、３０ｂが互いに競り合い係止し、ナットを本締めする事により、凹状の開閉体が気泡コンクリート内に喰い込みカエリ３１が一体形成された埋め込み用ワッシャ２８との間に、係止力が働き開閉体及びアンカー本体の横振れを防ぎロックする。アンカー本体２１に角状部２２を、形成する事により、アンカー本体のボルト径に、限り無く近く取付け貫通孔１６を、設定することが出来るように構成されたものである。【選択図】      図２１
2004232850.tif 000002
【特許請求の範囲】
【請求項１】
気泡コンクリートに設けたアンカー取り付け貫通孔に挿入するアンカー本体２１は、アンカー本体前方部より、前方先端部にかけて、周囲を角状に旋削し、角状部２２を形成し、その先端部にセットピン２３を、支点として後付け用スプリング２４で開く事の出来る開閉体２５ａ、２５ｂを、有する気泡コンクリート用アンカー。
【請求項２】
ワッシャ２８は、貫通孔１６内のアンカー支持手段として、リング内側に、カエリ３１が、一体形成されており、気泡コンクリート面に、埋め込む事が出来る。請求項１記載の、気泡コンクリート用アンカー。
【発明の詳細な説明】
【０００１】
【産業上の利用分野】
本発明は、気泡コンクリートの壁や、天井、床等に、固着する事の出来る気泡コンクリート用アンカーに関するものである。
【０００２】
【従来の技術】
「特許第３３３６５０１号」気泡コンクリート用アンカーは、図１に、示す様に、アンカー本体１の前方部より、前方先端部にかけて、偏平状部２を形成しその先端部に、内蔵スプリング４ａ、４ｂ、で開く事の出来る開閉体３ａ、３ｂ、を有しセットピン５ａ、５ｂ、で固定されており、図３に示す様に開閉体３ａ、３ｂ、を閉じた状態で貫通孔１６に挿入し、図１に示す如く、アンカー本体１が、貫通孔１６を通過すると開閉体３ａ、３ｂ、が、内蔵スプリング４ａ、４ｂ、の働きにより開脚し、図２に示す様にナット９を、締め付ける事により、開閉体３ａ、３ｂ、が、気泡コンクリート内に喰い込みしかる後、埋め込み用ナット６に、交換し、更にナット９にて締め込み、図４に示す様に取り付け金物を、固定する構造の物で有り埋め込み用ナットを要し、貫通方式で、開閉体を、有している為、今迄にない絶大なる強固で画期的なアンカーではあるが、
【０００３】
【発明が解決しようとする課題】
図５に示す、図３、ＡＢ断面の、「特許第３３３６５０１号」気泡コンクリート用アンカー断面図の如く、開閉体を、２本のセットピンで固定する為、アンカー本体１の偏平状部２が、アンカー本体１のボルト経Ｘより幅広く、開閉体セット寸法Ｙは、更に広くなり、アンカー貫通孔１６を、Ｙと同等に設定しなければならず、
【０００４】
又スプリング４ａ、４ｂ、が内蔵スプリングの為、開閉体の、内幅Ｚを広く設定しなければならない。気泡コンクリートは、脆弱で有る為、アンカー本体のガタつきを、誘発する恐れがある。
【０００５】
尚ナット９にて仮締めし、しかる後、埋め込み用ナット６に交換して締め込む為アンカー本体１が、ブレル可能性があり、作業工程状問題があった。
【０００６】
又、内蔵スプリング４ａ、４ｂの装着に、製造面に於ける難しさが有り、コストが高くつくなどの難点があった。
【０００７】
そこで本発明は、従来のこのような問題点を解決して、気泡コンクリートへの取り付けが容易で、且つ強固に、取り付け金物を固定出来る、ガタつきの無い気泡コンクリート用アンカーを、提供する事を目的とするものである。
【０００８】
【課題を解決するための手段】
本発明は、上記目的を達成する為に、図６で示す様に、アンカー本体２１の前部より前方後方部にかけて周囲を、角状に、旋削し、図６のＥＦ断面、図１１に示す角状部２２を、形成し、開閉体取り付けセットピン用の穴２６を有し、アンカー本体２１の周囲に、雄螺子２７が、設けられている。
【０００９】
角状部２２の先端部に図７で示す様に、後付け用スプリング２４で、開脚する事の出来る開閉体２５ａ、２５ｂを有し、セットピン２３を、支点として、開脚出来るように固定されており、
【００１０】
開閉体２５ａ、２５ｂは、図８気泡コンクリート用アンカー正面図に、示す様に、セットピン２３にて互い違いに、組み合わされた状態にて、セットされている。
【００１１】
開閉体２５ａ、２５ｂは、図７のＣＤ正面、図９の如く、開脚した先端部の、切り込み３０ａ、３０ｂが、互いに競り合い、ナット３２を、締め付けた時の引張力の、抵抗を増し、セットピン２３を、支点として、開閉体自体が、係止出来る様に構成されており
【００１２】
貫通孔１６内の、アンカー支持手段として、埋め込み用ワッシャ２８を要し、アンカー本体２１を、貫通孔１６に挿入し、ナット３２にて本締めした後ナット３２を、緩めても、締め付けたアンカー本体２１は、本締め状態で貫通孔内に、埋め込み用ワッシャ２８にて、ロックし、貫通孔内に係止する事が出来、アンカー本体を、支持する事ができる。
【００１３】
埋め込み用ワッシャ２８は、図１２に示す如く、リング内側に、カエリ３１が、設けられカエリ３１の内径が、アンカー本体２１のボルト経Ｘと同径で、カエリ３１が一体形成され、ナット３２を締める事により前へと押し進められ、仮締めした後、金物取付けの為に緩めても、埋め込み用ワッシャ２８のカエリ３１が、アンカー本体２１の、雄螺子２７に喰い込み、ロックする事が出来る様に構成されている
【００１４】
尚、図１６に示す後付け用スプリング２４は、図７、図１７に示す様な状態で、アンカー使用時に開閉体に挿入し開閉体２５ａ、２５ｂと共に閉じた状態で図１８に、示す如く貫通孔１６内に挿入する。
【００１５】
【作用】
図１５に示す様に、開閉体２５ａ，２５ｂが、凹状を形成し、開閉体２５ａ、２５ｂが、開脚した時の係止条件として、その先端部に切込み部３０ａ、３０ｂが設けられセットピン用の穴３４ａ、３４ｂ、が設定されており図８、アンカー正面図に示す様にセットピン２３にて、互い違いに組込まれており、
【００１６】
アンカー本体の、ナット３２を締めることにより、気泡コンクリート内に喰い込み開閉体２５ａ、２５ｂの、横振れを、防ぎ、引張力の抵抗を増しロックの、役目を果たす。
【００１７】
アンカー本体２１を、角状に旋削し、角状部２２を形成し、開閉体２５ａ、２５ｂが、１本のセットピンで固定されている為、貫通孔１６の穴径を、アンカー本体の穴径Ｘと同寸に設定出来アンカー本体のガタ付きを無くし、金物取付け強度を、増すことが出来る。
【００１８】
埋め込み用ワッシャ２８は、内側に、カエリ３１を要し、ボルト径Ｘと、同径に設定されており、ナット３２を締め込み、その後金物取付の為に緩めてもアンカー本体２１の雄螺子２７に喰い込み貫通孔１６内に係止する事が出き、
【００１９】
気泡コンクリート面１３の、外面と同面に埋め込み、アンカーをロックする事が出来、金物取付け時のアンカー本体のブレを無くし完全に固定出来、アンカーの強度を、増す事が出来る。
【００２０】
【発明の実施形態】
以下、此の発明の実施例を、添付図面に基ずいて詳細に説明する。
【００２１】
アンカー本体２１の取付け位置に、ドリル等を用いて、貫通孔１６を設け図１７に示す様に、埋め込み用ワッシャ２８とナット３２を仮締めし、後付け用スプリング２４を、セットし図１８に示す様に開閉体２５ａ、２５ｂを、閉じた状態で、取付貫通孔１６内に挿入する。
【００２２】
図１９に示す様に、開閉体２５ａ、２５ｂが貫通孔を通過すると後付け用スプリング２４の働きに依り開脚する。
【００２３】
図２０に示す様にアンカー本体２１を、手前に引き、埋め込み用ワッシャ２８、ナット３２を、本締めする事により凹状となっている開閉体２５ａ、２５ｂは、気泡コンクリート１３に喰い込み、埋め込み用ワッシャ２８はナット３２に、押され前進し、気泡コンクリート外面と同面に納める事が出来る。
【００２４】
図２０、ＩＪ正面の正面図、図１０に示す様に開閉体２５ａ、２５ｂが切込み部３０ａ、３０ｂにより互いに競り合い係止状態に有る事を示す。
【００２５】
又、図２２に示す変形使用実施例には、開閉体２５ａ、２５ｂに、切込み部３０ａ、３０ｂは無く、図は完全に開脚した状態を示すが、開閉体２５ａ、２５ｂが、矢尻状に開脚するため気泡コンクリート面の喰い込みが悪く、係止力が弱い。
【００２６】
埋め込み用ワッシャ２８は、図１２、図１３に示す如く内側にカエリ３１が一体形成され、カエリ３１の働きに依り、図１４に示す、アンカー本体２１の周囲に設けられた雄螺子２７との間に係止し、前進はするが後退は出来ずロックの役目を、果たす。
【００２７】
本締め終了後、ナット３２を緩め、図２１に示す如く取付け金物２９を装着し、ワッシャ３３、ナット３２で取付ける。
【００２８】
【発明の効果】
本発明によれば、以上の様にアンカー本体２１に、角状部２２を形成し開閉体２５ａ、２５ｂを、一本のセットピンで固定する為、アンカー本体のボルト径と貫通孔１６内の穴径を、同寸に設定出来、「特許第３３３６５０１号」の気泡コンクリート用アンカーよりも、ガタつきが無く、絶大の強度を得る事が出来る。
【００２９】
図５に示す「特許第３３３６５０１号」の気泡コンクリート用アンカー断面図と，本発明気泡コンクリート用アンカーの正面図、図８との比較検討すると、アンカー本体ボルト寸法をＸ、開閉体取付け寸法をＹ、開閉体幅寸法をＺとした場合、本発明気泡コンクリート用アンカーの方が限りなくアンカー取付け貫通孔１６の、内寸に近似し、アンカーを取付けた際のガタつき、ブレが少なく「特許第３３３６５０１号」気泡コンクリート用アンカーよりも絶大なる強度が得られ、作業能率の向上が図れる。
【００３１】
脆弱な気泡コンクリート１３に埋め込み用ワッシャ２８にて、係止力が増し、金物取付け時の、ブレが無く、アンカー本体のガタつきが無いため、取付け強度を、確実に、得られる。
【００３２】
取付けに確実な強度が得られる為、作業能率の向上が顕著で有り、作業終了後の安心感を提供出来る。
【００３３】
セットピンが、一本で有るうえ、スプリングが後付けの為、製造工程の簡素化が、図れ「特許第３３３６５０１号」気泡コンクリート用アンカーより安価に、提供する事が出来る。
【００３４】
又、本発明の開閉体は、「特願２００２−３２６１０３」気泡コンクリート用雌螺子アンカーにも、応用可能である。
【００３５】
尚、開閉体２５ａ、２５ｂは、本来セットピン２３を支点として「重量の法則」で下向きに、開く物では有るが、確実に開脚させる為にスプリング２４を設けている。したがって後付け用スプリング２４の材質は、鋼製で無く、プラスチック等の樹脂製でも可能である。
【００３６】
構造が、金属製で有り、貫通方式の為、絶大な強度が得られ、気泡コンクリート用の溶接アンカーとしても使用可能である。
【００３７】
取りつけ方法が貫通施行の為、後部が空洞面であればパネル、ブロック、ボード、各種発泡材に、使用可能である。
【図面の簡単な説明】
【図１】「特許第３３３６５０１号」気泡コンクリート用アンカーの開脚状態を示す説明図である。
【図２】「特許第３３３６５０１号」気泡コンクリート用アンカーの使用状態を示す説明図である。
【図３】「特許第３３３６５０１号」気泡コンクリート用アンカーの挿入状態を示す側面図である。
【図４】「特許第３３３６５０１号」気泡コンクリート用アンカーの使用状態を示す側面図である。
【図５】「特許第３３３６５０１号」気泡コンクリート用アンカー図３の、ＡＢ断面図である。
【図６】本発明、気泡コンクリート用アンカー本体の側面図である。
【図７】本発明、気泡コンクリート用アンカーの、開閉体及びスプリング取付け状況を示す説明図である。
【図８】本発明、気泡コンクリート用アンカーの正面図である。
【図９】本発明、気泡コンクリート用アンカー図７のＣＤ正面図である。
【図１０】本発明、気泡コンクリート用アンカー図２０、図２１のＩＪ正面図である。
【図１１】本発明、気泡コンクリート用アンカー本体のＥＦ断面図である。
【図１２】本発明、気泡コンクリート用アンカー埋め込みワッシャの平面図である。
【図１３】埋め込みワッシャ図１２のＧＨ断面図である。
【図１４】埋め込みワッシャの説明図である。
【図１５】本発明、開閉体の斜視図である。
【図１６】本発明、後付けスプリングの斜視図である。
【図１７】本発明気泡コンクリート用アンカー挿入時の使用状態を示す説明図である。
【図１８】本発明気泡コンクリート用アンカー挿入状態を示す側面図である。
【図１９】本発明気泡コンクリート用アンカー開閉体の開脚状況を示す側面図である。
【図２０】本発明気泡コンクリート用アンカーの使用状態を示す説明図である。
【図２１】本発明気泡コンクリート用アンカーの実施例である。
【図２２】本発明気泡コンクリート用アンカーの変形使用実施例である。
【符号の説明】
１  「特許第３３３６５０１号」のアンカー本体
２  「特許第３３３６５０１号」のアンカー偏平部
３ａ、３ｂ  「特許第３３３６５０１号」の開閉体
４ａ、４ｂ  「特許第３３３６５０１号」のスプリング
５ａ、５ｂ  「特許第３３３６５０１号」のセットピン
６  「特許第３３３６５０１号」の埋め込み用ナット
９  「特許第３３３６５０１号」のナット
１０  「特許第３３３６５０１号」のワッシャ
１１  「特許第３３３６５０１号」の取付け金物
１２  内部壁
１３  気泡コンクリート
１４  空洞面
１６  貫通孔
２１  アンカー本体
２２  角状部
２３  セットピン
２４  後付け用スプリング
２５ａ、２５ｂ開閉体
２６  セットピン用の穴
２７  雄螺子
２８  埋め込み用ワッシャ
２９  取り付け金物
３０ａ、３０ｂ開閉体切込み部
３１  埋め込み用ワッシャのカエリ部
３２  ナット
３３  ワッシャ
３４ａ、３４ｂ開閉体セットピン用の穴
Ｘ    アンカー本体ボルト径寸法
Ｙ    開閉体取付け高さ寸法
Ｚ    開閉体幅寸法
【図１】
2004232850.tif 000003
【図２】
2004232850.tif 000004
【図３】
2004232850.tif 000005
【図４】
2004232850.tif 000006
【図５】
2004232850.tif 000007
【図６】
2004232850.tif 000008
【図７】
2004232850.tif 000009
【図８】
2004232850.tif 000010
【図９】
2004232850.tif 000011
【図１０】
2004232850.tif 000012
【図１１】
2004232850.tif 000013
【図１２】
2004232850.tif 000014
【図１３】
2004232850.tif 000015
【図１４】
2004232850.tif 000016
【図１５】
2004232850.tif 000017
【図１６】
2004232850.tif 000018
【図１７】
2004232850.tif 000019
【図１８】
2004232850.tif 000020
【図１９】
2004232850.tif 000021
【図２０】
2004232850.tif 000022
【図２１】
2004232850.tif 000023
【図２２】
2004232850.tif 000024